(57)【要約】【課題】焦点調整可能な撮像手段を搭載することによりマクロ撮影を可能とし、かつ、マクロ撮影を簡単な操作で行うことができる携帯型電子機器を提供する。【解決手段】携帯無線電話機１０は、第１筐体部１１と第２筐体部１２とがヒンジ機構１６を介して折り畳み可能に連結され、撮像対象１を撮像して撮像データを入力する撮像手段と該撮像手段によって入力された撮像データを表示部１９に表示する表示手段とを第２筐体部１２に有する。携帯無線電話機１０は、前記撮像手段の焦点距離を通常撮影又はマクロ撮影に適するように調整する焦点調整手段１５を有し、焦点調整手段１５が調整移動範囲のどちらか一方に最大量移動され、かつ、撮像対象１と第１筐体部１１とが同一平面上に設置された状態で、第２筐体部１２を所定の開き角度に開いた際に、撮像対象１と前記撮像手段との距離と、該撮像手段の焦点距離とが一致するように前記撮像手段を配置する。【選択図】　　　　図５
2004064460.tif 000002
【特許請求の範囲】
【請求項１】
第１筐体部と第２筐体部とがヒンジ機構を介して折り畳み可能に連結され、撮像対象を撮像して撮像データを入力する撮像手段と該撮像手段によって入力された撮像データを表示部に表示する表示手段とを前記第２筐体部に有する携帯型電子機器において、前記撮像手段の焦点調整のための焦点調整手段を有し、該焦点調整手段が調整移動範囲のどちらか一方に最大量移動され、かつ、前記撮像対象と前記第１筐体部とが同一平面上に設置された状態で、前記第２筐体部を所定の開き角度に開いた際に、前記撮像対象と前記撮像手段との距離と、該撮像手段の焦点距離とが一致するように前記撮像手段を配置したことを特徴とする携帯型電子機器。
【請求項２】
請求項１に記載の携帯型電子機器において、前記撮像手段は、デジタルカメラであり、デジタル化した撮像データを前記表示手段に入力することを特徴とする携帯型電子機器。
【請求項３】
請求項１または２に記載の携帯型電子機器において、前記ヒンジ機構は、前記第１筐体部と第２筐体部とにおいて最大開き角度の途中の角度で静止可能とし、前記焦点調整手段が調整移動範囲のどちらか一方に最大量移動され、かつ、前記撮像対象と前記第１筐体部とが同一平面上に設置された状態で、前記第２筐体部を前記最大開き角度の途中の角度まで開いた際に、前記撮像対象と前記撮像手段との距離と、該撮像手段の焦点距離とが一致するように前記撮像手段を配置したことを特徴とする携帯型電子機器。
【請求項４】
請求項１ないし３のいずれか１に記載の携帯型電子機器において、前記第１筐体部に前記撮像手段を操作するためのキーを配置したキー操作部を有し、前記撮像対象と前記第１筐体部とが同一平面上に設置された状態で、前記第２筐体部を所定の開き角度に開いた際に、前記撮像手段を操作できるように前記キー操作部を前記第１筐体部に配置したことを特徴とする携帯型電子機器。
【請求項５】
請求項１ないし４のいずれか１に記載の携帯型電子機器において、前記焦点調整手段は、前記第２筐体部の側面に搭載されていることを特徴とする携帯型電子機器。
【請求項６】
請求項１ないし５のいずれか１に記載の携帯型電子機器において、前記撮像対象の撮像対象部位に光軸を向けて照射光を照射する照射手段を前記第２筐体部に有し、該照射手段は、発光モジュールと、該発光モジュールの光軸上に配置された照射孔と、一部にスリットを有しかつ前記発光モジュールと照射孔との間で移動可能な遮光板とを有し、前記焦点調整手段に連動して前記遮光板を移動させることにより、前記照射光の光軸が該遮光板のスリットの中心に移動することを特徴とする携帯型電子機器。
【請求項７】
請求項６に記載の携帯型電子機器において、前記照射手段は、前記撮像手段と同一の面に配置されていることを特徴とする携帯型電子機器。
【請求項８】
請求項６または７に記載の携帯型電子機器において、前記遮光板の移動は、前記焦点調整手段によって行うようにしたことを特徴とする携帯型電子機器。
【請求項９】
請求項６ないし８のいずれか１に記載の携帯型電子機器において、前記遮光板のスリットは、接写時において前記照射手段により照射光を前記撮像対象に照射する際に、前記照射光の照射部分が前記撮像手段の撮像領域を指し示すように照射可能な開口を有することを特徴とする携帯型電子機器。
【発明の詳細な説明】
【０００１】
【発明の属する技術分野】
本発明は、携帯型電子機器、より詳細には、例えば、カメラ付き携帯無線電話機のように、入射光を電気信号に変換して画像データとして入力する撮像手段を備え、無線電波を介して基地局と無線通信することができる携帯型電子機器に関する。
【０００２】
【従来の技術】
最近の携帯型電子機器においては、単に通話機能だけでなく、例えば、電子メールの送受信や、インターネットによる各種サービスの利用等に加えて、エリアＣＣＤ（Ｃｈａｒｇｅ　Ｃｏｕｐｌｅｄ　Ｄｅｖｉｃｅ）などを用いたカメラが搭載されたカメラ付き携帯無線電話機が使用されるようになってきている。また、携帯無線電話機の中には、折り畳むことができ、コンパクトで持ち運びに便利な折り畳み式の携帯無線電話機がある。また、カメラ付き携帯無線電話機は、被写体として周りの風景や自分自身などを撮影し、撮影した画像を記憶し、その画像を電子メール等を用いて相手先に電送したりすることができる。
【０００３】
【発明が解決しようとする課題】
上記カメラ付き携帯無線電話機において、例えば２次元バーコードシンボルのような、被写体に小さく印刷されたコード化情報をカメラで撮像し、撮像したコード化情報を認識するためには、シンボルをマクロ撮像モードで撮像し、できるだけ多くの画素を使って読み取り、シンボルのエレメントを正確に認識することが求められる。ここで、マクロ撮影モードとは、被写体が小さいために、近接撮影が必要な場合など、通常の撮影モードの焦点距離を超えて近づく場合に使用するモードで、このマクロ撮影モードを利用することで、通常の撮影モードではピントの合わないような近距離での撮影が可能となる。一般的に、数センチから十数センチが、マクロ撮影においてピントを合わせることのできる距離とされている。しかしながら、従来のカメラ付き携帯無線電話機においては、単一焦点のために解像度が不足し、例えばコード化情報のような小さなシンボルをコード認識できるような解像度の高い画像データを得ることは出来なかった。
【０００４】
また、例えば、ピンボケ、手ぶれ、アライメント（撮像部と被写体との相対的な位置、方向）など、読み取り精度を阻害する要因があるために、有効撮像エリアへの被写体の撮像データ取り込みなどの機能を果たすためには、カメラの脚立のような付属器具を連結し、撮像部を固定した状態で被写体を撮像操作しなければ、例えばコード化情報の読み取りに用いるような正確な撮像が期待できない。更に、暗がりで撮像したり、また、マクロ撮影モード使用時に撮像部と被写体とが接近すると、電話機自身により影ができるために、被写体を認識するまでの時間が長くなったり、認識エラー等の影響がある。
【０００５】
本発明は、上述のごとき実情に鑑みてなされたものであり、焦点調整可能な撮像手段を搭載することによりマクロ撮影を可能とし、かつ、マクロ撮影を簡単な操作で行えるようにした携帯型電子機器を提供すること、また、被写体に小さく印刷されたコード化情報などの読み取り精度が要求される撮像対象を携帯型電子機器により簡単かつ正確に取り込むことができるようにすること、を目的としてなされたものである。
【０００６】
【課題を解決するための手段】
上記目的を解決するための第１の技術手段は、第１筐体部と第２筐体部とがヒンジ機構を介して折り畳み可能に連結され、撮像対象を撮像して撮像データを入力する撮像手段と該撮像手段によって入力された撮像データを表示部に表示する表示手段とを前記第２筐体部に有する携帯型電子機器において、前記撮像手段の焦点調整のための焦点調整手段を有し、該焦点調整手段が調整移動範囲のどちらか一方に最大量移動され、かつ、前記撮像対象と前記第１筐体部とが同一平面上に設置された状態で、前記第２筐体部を所定の開き角度に開いた際に、前記撮像対象と前記撮像手段との距離と、該撮像手段の焦点距離とが一致するように前記撮像手段を配置したことを特徴としたものである。
【０００７】
第２の技術手段は、第１の技術手段において、前記撮像手段は、デジタルカメラであり、デジタル化した撮像データを前記表示手段に入力することを特徴としたものである。
【０００８】
第３の技術手段は、第１または第２の技術手段において、前記ヒンジ機構は、前記第１筐体部と第２筐体部とにおいて最大開き角度の途中の角度で静止可能とし、前記焦点調整手段が調整移動範囲のどちらか一方に最大量移動され、かつ、前記撮像対象と前記第１筐体部とが同一平面上に設置された状態で、前記第２筐体部を前記最大開き角度の途中の角度まで開いた際に、前記撮像対象と前記撮像手段との距離と、該撮像手段の焦点距離とが一致するように前記撮像手段を配置したことを特徴としたものである。
【０００９】
第４の技術手段は、第１ないし第３の技術手段のいずれか１において、前記第１筐体部に前記撮像手段を操作するためのキーを配置したキー操作部を有し、前記撮像対象と前記第１筐体部とが同一平面上に設置された状態で、前記第２筐体部を所定の開き角度に開いた際に、前記撮像手段を操作できるように前記キー操作部を前記第１筐体部に配置したことを特徴としたものである。
【００１０】
第５の技術手段は、第１ないし第４の技術手段のいずれか１において、前記焦点調整手段は、前記第２筐体部の側面に搭載されていることを特徴としたものである。
【００１１】
これらの技術手段によると、携帯型電子機器に焦点調整可能な撮像手段を搭載することによりマクロ撮影を可能とし、かつ、マクロ撮影を簡単な操作で行うことができる。また、折り畳み可能な携帯型電子機器を机などの平たい場所で使用する場合に、通話時等に機器を開いた状態（通常の使用状態）でマクロ撮影することができる。
【００１２】
第６の技術手段は、第１ないし第５の技術手段のいずれか１において、前記撮像対象の撮像対象部位に光軸を向けて照射光を照射する照射手段を前記第２筐体部に有し、該照射手段は、発光モジュールと、該発光モジュールの光軸上に配置された照射孔と、一部にスリットを有しかつ前記発光モジュールと照射孔との間で移動可能な遮光板とを有し、前記焦点調整手段に連動して前記遮光板を移動させることにより、前記照射光の光軸が該遮光板のスリットの中心に移動することを特徴としたものである。
【００１３】
第７の技術手段は、第６の技術手段において、前記照射手段は、前記撮像手段と同一の面に配置されていることを特徴としたものである。
【００１４】
第８の技術手段は、第６または第７の技術手段において、前記遮光板の移動は、前記焦点調整手段によって行えるようにしたことを特徴としたものである。
【００１５】
第９の技術手段は、第６ないし第８の技術手段のいずれか１において、前記遮光板のスリットは、接写時において前記照射手段により照射光を前記撮像対象に照射する際に、前記照射光の照射部分が前記撮像手段の撮像領域を指し示すように照射可能な開口を有することを特徴としたものである。
【００１６】
これらの技術手段によると、携帯型電子機器に照射手段を搭載することにより、マクロ撮影モードでコード化シンボル等を撮影する際に、暗がりや、被写体が携帯型電子機器の影になり該被写体に明暗が生じても、適切な露出で画像を得ることができる。
【００１７】
【発明の実施の形態】
図１は、本発明の実施の一形態である携帯無線電話機の構成例を示すブロック図で、図中、１は撮像対象（又は被写体）、１０は携帯無線電話機で、該携帯無線電話機１０は、撮像部１０１，増幅部１０２，Ａ／Ｄ変換部１０３，信号処理部１０４，記憶部１０５、キー操作部１０６，アンテナ１０７，無線部１０８，通信制御部１０９，制御部１１０，表示制御部１１１，表示部１１２，発光制御部１１３，発光部１１４，遮光板１１５を備えて構成される。ここで、記憶部１０５は、第１記憶部１０５ａ及び第２記憶部１０５ｂの２つの記憶部を有している。携帯無線電話機１０は、無線電波を介して基地局と無線通信を行い、音声データ，文字データ及び画像データなどを送受信する機能を有している。尚、本発明は、携帯無線電話機１０を含む携帯型電子機器全般に適用可能なものであるが、本実施形態においては、携帯無線電話機１０を代表例として説明するものとする。
【００１８】
携帯無線電話機１０が有する制御部１１０は、携帯無線電話機１０を構成する各部位の動作を制御するための制御手段である。撮像部１０１は、後述する撮像レンズと、ＣＣＤ（Ｃｈａｒｇｅ　Ｃｏｕｐｌｅｄ　Ｄｅｖｉｃｅ）イメージセンサあるいはＣＭＯＳ（Ｃｏｍｐｌｅｍｅｎｔａｒｙ　Ｍｅｔａｌ−ＯｘｉｄｅＳｅｍｉｃｏｎｄｕｃｔｏｒ）イメージセンサなどの撮像素子と、光学焦点調整機能とを備えたカメラモジュールである。撮像部１０１は、被写体で反射されて撮像レンズに入射した光を前記撮像素子によって電気信号に変換する。増幅部１０２は、撮像部１０１から送られてくる電気信号を増幅し、Ａ／Ｄ（アナログ／デジタル）変換部１０３に送る。
【００１９】
Ａ／Ｄ変換部１０３は、増幅部１０２で増幅された電気信号をデジタル信号に変換して画像データを出力し、信号処理部１０４に送る。信号処理部１０４は、Ａ／Ｄ変換部１０３から送られてくる画像データに対して、画素の補間処理などの信号処理を行う。また、信号処理部１０４は、制御部１１０から送られてくる制御信号に基づいて、信号処理を施した画像データを記憶部１０５に送る。記憶部１０５の第１記憶部１０５ａは、信号処理部１０４から連続的に送られてくる画像データを一時的に記憶しており、時間的に古い画像データは消去、あるいは時間的に新しい画像データが上書きされて随時更新される。
【００２０】
また、上記撮像部１０１、増幅部１０２、Ａ／Ｄ変換部１０３および信号処理部１０４は、入射光を電気信号に変換して画像データとして出力する撮像手段である。制御部１１０は、表示制御部１１１に制御信号を送信するとともに、第１記憶部１０５ａに一時記憶された画像データを表示制御部１１１に送る。表示制御部１１１は、制御部１１０からの制御信号及び画像データに従って、表示部１１２の各画素電極に対して駆動電圧を印加する。表示部１１２は、表示制御部１１１からの駆動電圧に基づいて画像データを表示する表示装置であり、液晶ディスプレイおよびＥＬ（Ｅｌｅｃｔｒｏ　Ｌｕｍｉｎｅｓｃｅｎｃｅ）ディスプレイなどの表示パネルで構成される。表示制御部１１１及び表示部１１２は撮影した画像などを表示する表示手段である。
【００２１】
発光制御部１１３及び発光部１１４は、制御部１１０からの制御信号により、照射光を発光する発光手段（発光モジュール）である。発光制御部１１３は、制御部１１０から送られてくる制御信号により、発光部１１４の駆動を行う。また、発光制御部１１３は、発光部１１４のオン・オフ制御，発光輝度調整，発光色制御などを駆動する機能を備える。発光部１１４は、発光制御部１１３からの駆動により発光する。ここで、発光部１１４の具体例として、ストロボなどを好適に用いることができ、この場合のストロボ発光部は、発光素子である三色発光ダイオードなどから構成され、主に被写体１に向けて撮影の際の補助照明用光源として機能する。
【００２２】
図２は、本発明が適用された携帯無線電話機１０の外観の一例を示す図である。図２（Ａ）は携帯無線電話機１０が折り畳まれた状態の外観の一例を示す斜視図で、本実施形態における携帯無線電話機１０は、キー操作部１０６が配置される第１筐体部１１と、表示部１１２が配置される第２筐体部１２と、ヒンジ機構１６とを有し、この第１筐体部１１及び第２筐体部１２がヒンジ機構１６によって折り畳み可能に連結され、折り畳んだ内側にキー操作部１０６と表示部１１２とがそれぞれ配置されている。また、第２筐体部１２には、照射孔１３，レンズ孔１４，通常撮影モード又はマクロ撮影モードの焦点を調整するための焦点調整手段（以下、操作レバーという）１５が設けられている。
【００２３】
図２（Ｂ）は携帯無線電話機１０が開かれた時の表示部及びキー操作部が配置されている面側から見た外観の一例を示す斜視図で、携帯無線電話機１０は、マイクロホン１７，スピーカ１８，表示部１９，キー操作部２０を有している。このキー操作部２０は、図１に示したキー操作部１０６と同じであって、ストロボ発光ＯＮキー２０ａ，ストロボ発光量選択キー２０ｂ，シャッターキー２０ｃ，ストロボＯＮ／ＯＦＦ制御キー２０ｄなどのカメラ機能を制御するキーを有している。尚、図２（Ｂ）に示すように、携帯無線電話機１０における表示部１９（図１に示した表示部１１２と同じ）は、キー操作部２０が配置されている面と同一の面に配置される。以下、説明を簡単にするために、携帯無線電話機１０における表示部１９及びキー操作部２０が配置されている面をＢ面という。
【００２４】
図２（Ｃ）は携帯無線電話機１０が開かれた時の表示部１９及びキー操作部２０が配置されている面の反対側から見た外観の一例を示す斜視図である。図２（Ｃ）に示すように、レンズ孔１４及び照射孔１３は、第２筐体部１２の表示部１９が配置されている面（Ｂ面側）とは反対側の面に配置される。以下、説明を簡単にするために、携帯無線電話機１０における表示部１９及びキー操作部２０が配置されている面（Ｂ面）の反対側の面をＡ面という。
【００２５】
図２（Ｂ）及び図２（Ｃ）において、レンズ孔１４と表示部１９とが互いに反対側に配置されることにより、カメラモジュールの光軸方向に沿う光の入射方向が表示部１９の表示面による画像の表示方向と同一になるように配置されることになる。本実施形態において、表示部１９として、例えば、液晶ディスプレイを用いた場合、そのディスプレイの表示面に表示されている画像は、所定の視野角の範囲内であれば目視することができる。尚、本実施形態においては、目視できる範囲の中でも、特に視認性が良い表示面に対して垂直な方向を「表示方向」と呼ぶこととする。
【００２６】
携帯無線電話機１０において、カメラモジュールによって撮像された画像は、反対面（Ｂ面側）の表示部１９に表示される。したがって、携帯無線電話機１０を携帯するユーザがレンズ孔１４を被写体１に向け、かつ、被写体１をカメラモジュールの光軸上に位置するように設置した場合、ユーザが撮影した画像は、表示部１９の表示面に表示される。被写体１及び表示部１９は同一の表示方向に配置されているので、被写体１を撮影した場合、表示部１９の表示面による画像の表示方向と被写体１は共にユーザ側を向くことになる。すなわち、ユーザは被写体１をカメラモジュールの光軸上に置きつつ、第１記憶部１０５ａに取り込まれた被写体１の画像を表示した表示部１９と被写体１そのものを逐次確認することができる。したがって、カメラモジュールで撮像した撮像データが第１記憶部１０５ａに取り込まれ、表示部１９に表示されるまでの時間ずれによって、撮像タイミング位置が変化した場合でも、被写体自身を確認しながら、撮影位置を調整することができるために、撮像データの取り込みミスが生じにくい。これによって、撮り直しの回数が減り、ユーザの手間を省くことができる。
【００２７】
また、レンズ孔１４の近傍には、発光モジュールからの照射光を照射するための照射孔１３が配置されており、発光モジュールの照射光によって被写体１の撮影面を明るくすることができる。したがって、表示部１９の表示面に表示される画像が明るく見やすくなる。これによって、ユーザは、暗い場所でも被写体１の画像を表示部１９で確認して撮影することができる。
【００２８】
前述した図１において、キー操作部１０６（図２に示したキー操作部２０と同じ構成とする）は、数字および文字を入力するための入力キーなどの他に、カメラ撮影に関する機能キーから構成される。ユーザによってシャッターキー２０ｃが操作されると、記憶部１０５の第１記憶部１０５ａに連続的に送られて一時的に記憶されている画像データの中からユーザが取り込みを希望する画像データを第２記憶部１０５ｂに移すように指示するための指示信号を制御部１１０に出力する。制御部１１０は、シャッターキー２０ｃからの指示信号に応答して、第１記憶部１０５ａに記憶されている画像データを第２記憶部１０５ｂに記憶させる。第２記憶部１０５ｂは、第１記憶部１０５ａに一時記憶されている画像データ及びアンテナ１０７を介して受信した各種の受信データを記憶する記憶手段である。
【００２９】
アンテナ１０７は、無線電波を介して基地局と無線通信を行うときに、音声データ，文字データ及び画像データなどを送受信する。無線部１０８は、各データの受信時には、基地局からアンテナ１０７を介して受信したデータを復調し、送信時には、通信制御部１０９から送られてくる文字データ及び画像データなどを変調して増幅し、アンテナ１０７を介して基地局に送信する。通信制御部１０９は、無線部１０８が復調した文字データ及び画像データなどの受信データを所定の通信プロトコルに基づいて制御部１１０に送る。無線部１０８，通信制御部１０９を介して入力される相手先からの受信データは、第２記憶部１０５ｂに記憶される。上述したアンテナ１０７，無線部１０８及び通信制御部１０９は、通信プロトコルにしたがって無線通信を行う通信手段である。
【００３０】
図３は、携帯無線電話機１０に設けられたカメラモジュール付近の構成例を示す図である。図３（Ａ）は第２筐体部１２のカメラモジュール付近を示す断面図で、前述した図２（Ｃ）のＡＡ´矢視図である。第２筐体部１２は、カメラモジュール１２１，回路基板１２２，発光モジュール１２３，スライド部材１２４，第１光軸１２５，第２光軸１２６，第３光軸１２７を有している。カメラモジュール１２１は、調整レバー１２１ａ，レンズ鏡枠１２１ｂ，固定鏡胴１２１ｃ，光電変換するための撮像素子１２１ｄ，撮像レンズ１２１ｅから構成され、調整レバー１２１ａは第１光軸１２５を中心に回転させることでレンズ鏡枠１２１ｂが第１光軸１２５に沿って移動して焦点位置を調整し、レンズ鏡枠１２１ｂは撮像レンズ１２１ｅを保持してその外周部の少なくとも一部にネジ部１２１ｇを有し、固定鏡胴１２１ｃは内周にレンズ鏡枠１２１ｂのネジ部１２１ｇと係合するためのネジ部１２１ｆを有している。発光モジュール１２３は、発光モジュール１２３からの光を射光する射光窓１２３ａ，電光変換するための発光素子１２３ｂ，モジュール筐体１２３ｃから構成されている。また、遮光板１１５は、一部にスリット１２８を有し、かつ、発光モジュール１２３と照射孔１３との間で移動可能とする。
【００３１】
図３（Ａ）において、Ａ面側に、カメラモジュ−ル１２１の撮像レンズ１２１ｅに光を入射させるためのレンズ孔１４が設けられている。第２筐体部１２の側面には、カメラモジュール１２１の調整レバー１２１ａ及びスライド部材１２４を連動させるために、スライド操作可能な操作レバー１５が設けられている。回路基板１２２には、カメラモジュール１２１と発光モジュール１２３とが実装されている。ここで、カメラモジュール１２１は、手動による焦点調整方式のカメラである。また、レンズ孔１４に隣接してＡ面側に照射孔１３が設けられている。
【００３２】
図３（Ｂ）及び図３（Ｃ）は、第２筐体部１２の側面に設けられた操作レバー１５付近の構成例を示す外観図である。操作レバー１５は、操作者が通常撮影モード又はマクロ撮影モードの焦点調整を行うための操作レバーである。この操作レバー１５は、図中の矢印の方向にスライド移動可能であり、操作レバー１５のスライド移動に連動してカメラモジュール１２１の調整レバー１２１ａが回転し、撮像レンズ１２１ｅが第１光軸１２５に沿って移動し、カメラモジュール１２１の光学焦点が移動する。
【００３３】
また、図３（Ｃ）に示す位置に操作レバー１５をスライドすると、光軸方向のレンズ孔１４側にレンズ鏡枠１２１ｂが移動し、撮像レンズ１２１ｅと撮像素子１２１ｄとの間隔が離れて通常撮影モードとなり、図３（Ｂ）に示す位置に操作レバー１５をスライドすると、光軸方向の撮像素子１２１ｄ側にレンズ鏡枠１２１ｂが移動し、撮像レンズ１２１ｅと撮像素子１２１ｄとの間隔が近づき、近くの被写体を接写するマクロ撮影モードとなる。一般的な携帯無線電話機のカメラの焦点距離は、通常撮影モードの場合でおよそ４０ｃｍ〜∞、マクロ撮影モードの場合でおよそ３〜５ｃｍ程度である。
【００３４】
図４は、第２筐体部１２の操作レバー１５、カメラモジュール１２１、発光モジュール１２３付近の一例を示した断面図で、前述した図３（Ａ）のＢＢ´矢視図（Ａ面側から見る）である。スライド部材１２４は、操作者が通常撮影モードとマクロ撮影モードの焦点調整の際に、照射光の照射方向切替えを行うための部材である。操作レバー１５は、図中の矢印の方向にスライド移動可能であり、操作レバー１５のスライド移動に連動してスライド部材１２４が軸１２９を中心に回転し、遮光板１１５が発光モジュール１２３と照射孔１３との間に割り込み、発光モジュール１２３からの照射光が遮られる。遮光板１１５は、第２光軸１２６よりもカメラモジュール１２１側の一部に光が通過するスリット１２８を有し、照射光は第３光軸１２７を中心にカメラモジュール１２１の第１光軸１２５の方向に絞られた指向性で照射される。
【００３５】
本発明によると、携帯型電子機器においてマクロ撮影又は通常撮影の焦点を適宜調整して簡単かつ正確に撮影を行うことができる。また、マクロ撮影機能を利用することにより、コード化シンボルなどの読み取り精度が要求される撮像対象を容易に取り込むことが可能となる。また、発光モジュールを搭載することによりマクロ撮影時に、暗がりや、被写体が携帯型電子機器の影になり該被写体に明暗が生じても、適切な露出で画像を得ることができる。
【００３６】
図５は、被写体１を携帯無線電話機１０のマクロ撮影モードで撮影する様子の一例を示す図である。図５（Ａ）は携帯無線電話機１０をヒンジ機構１６の回転限度一杯の安定位置まで開いて床面に設置し、同じく床面に置かれた被写体１をマクロ撮影モードで撮像する様子を側面より見た図である。携帯無線電話機１０は、床面に第１筐体部１１のＡ面側を接して設置し、第２筐体部１２のレンズ孔１４下面付近の床面に被写体１を設置し、携帯無線電話機１０の操作レバー１５をマクロ撮影ポジションにセットし、キー操作部２０のカメラ撮像関係のキー操作によりマクロ撮影モードで被写体１を表示部１９に表示し、被写体１の画像を記憶部１０５の第２記憶部１０５ｂに設けた所定の画像記憶部に取り込みを行う。前記の使用状態で、操作レバー１５をヒンジ機構１６側一杯にスライドさせると、撮像部１０１と被写体１までの距離と、撮像部１０１の焦点距離が一致するので、いちいち表示画面で焦点を調整する必要がない。
【００３７】
図５（Ａ）に示す携帯無線電話機１０は、第１筐体部１１のＡ面側がフラットであり、床面に設置した後、手を離しても安定して同じ姿勢を保持する。更に、第１筐体部１１の重量を第２筐体部１２の重量よりも重くなるように重量バランスを考慮した設計を行うことで、第１筐体部１１のＡ面側が床面から浮き上がらないように構成することができる。これらにより、撮像時にレンズ孔１４と床面とが一定距離で安定して保持される。特に、被写体１が印刷物などの場合、同じ床面に設置し、操作者が第１筐体部１１を手で掴むと、水平面に対して撮像中の手ぶれによる位置ズレがなく安定するので被写体１をより精度よく撮像できるほか、撮像部１０１と被写体１の間隔がいつも固定されるので、手持ち撮像などのピンボケの心配がなく、焦点ずれを気にしないで水平方向に撮像部１０１を自在に移動することができ、表示部１９の表示画面により常に安定した被写体１の印刷物の撮像状態を見ながら、適当なタイミングでキー操作部２０のシャッターキー２０ｃを押下し、画像取り込みを行うことができる。
【００３８】
ここで、第１筐体部１１と第２筐体部１２との開き角度は、９０°以上１８０°以下が好ましく、より好ましくは１６０°前後に設定することで、携帯無線電話機１０を安定した状態で保持することができる。
【００３９】
図５（Ｂ）は２次元バーコードが印刷された被写体１を携帯無線電話機１０で撮像し、表示部１９に撮像した２次元バーコードの画像をリアルタイムに表示している様子の一例を斜め上方から見た図で、表示部１９には、撮像表示エリア１９ａ内にコード化シンボル２の撮像イメージ１９ｂが表示されている。図５（Ｃ）は、図５（Ｂ）に示す撮像イメージ１９ｂを撮像表示エリア１９ａ内に表示した状態の表示部１９を示した図である。前述の図２（Ｃ）に示したように、レンズ孔１４はヒンジ機構１６とは反対方向の一番先端、かつ、操作者に向かって手前角付近の第２筐体部１２に搭載され、操作レバー１５はレンズ孔１４横の第２筐体部１２の側面に搭載されている。このような撮像手段の搭載配置により、操作者は被写体１に印刷されたコード化シンボル２と、表示部１９に表示される撮像イメージ１９ｂとを同時に視野に入れることができるために、撮像イメージ１９ｂを表示部１９の所定の画像表示エリア（撮像表示エリア１９ａ）内に迅速に表示することが可能である。
【００４０】
また、操作レバー１５が操作者にとって見やすい位置に搭載されているので、操作者がマクロ撮影モードで操作レバー１５をマクロ撮像ポジションにセットし忘れても、操作レバー１５が通常撮影ポジションになっていることに直ぐに気づくことができる。また、そのままの設置状態で、容易に操作レバー１５をスライドさせてマクロ撮影ポジションにセットすることができるので、位置合せなどの操作のやり直しが不要になる。
【００４１】
本発明によると、折り畳み可能な携帯型電子機器を机などの平たい場所で使用する場合に、通常の使用状態（例えば、通話時等に機器を開いた状態）でマクロ撮影を容易に行うことができる。また、カメラを安定した状態に保持することができるために、手ぶれを防止することができる。また、マクロ撮影時に操作レバーを操作範囲一杯にスライドするだけで、面倒なピント合せが不要となる。また、被写体を常に見ながら、カメラの位置合せを行うことができる。
【００４２】
図６は、被写体１を携帯無線電話機１０の発光モジュール１２３で照射しながらマクロ撮影モードで撮影する様子の一例を示す図である。図６（Ａ）は携帯無線電話機１０をヒンジ機構１６の回転限度一杯の安定位置まで開いて床面に設置し、同じく床面に置かれた被写体１を発光モジュール１２３で照射しながらマクロ撮影モードで撮像する様子を側面より見た図である。携帯無線電話機１０は、床面に第１筐体部１１のＡ面側を接して設置し、第２筐体部１２のレンズ孔１４下面付近の床面に被写体１を設置し、携帯無線電話機１０の操作レバー１５をマクロ撮影ポジションにセットし、キー操作部２０のカメラ撮像関係のキー操作によりマクロ撮影モードで被写体１を表示部１９に表示し、被写体１の画像を記憶部１０５の第２記憶部１０５ｂに設けた所定の画像記憶部に取り込みを行う。操作レバー１５がマクロ撮影ポジションにセットされると、遮光板１１５が作動し、発光部１１４からの照射光が遮光板１１５のスリット１２８を通過し、照射光の光軸が被写体１の撮像部１０１側に移行する。すなわち、撮像部１０１の入射光の光軸を中心とした撮像エリアに対して、ちょうど照射光の光軸を中心とした照射エリアが交わることになる。
【００４３】
図６（Ｂ）は被写体１に印刷されたコード化シンボル２に対しての撮像部１０１の有効撮像エリアの位置と発光部１１４の照射エリアとが重なる様子と、撮像データが表示部１９に表示される撮像表示エリア１９ａに応じた被写体１における画像表示エリアを示した図で、図中、３は発光部１１４の照射エリア、４は撮像部１０１の有効撮像エリア、５は画像表示エリアである。図６（Ｂ）において、遮光板１１５のスリット１２８の形状を四角形とし、照射エリア３が有効撮像エリア４よりも幾分小さくなるような領域の開口をスリット１２８に設けた場合の例について示している。
【００４４】
図７は、カメラモジュール側の第１光軸１２５と入射光、通常撮影時における発光モジュール１２３の照射光の第２光軸１２６、マクロ撮影時における発光モジュール１２３と遮光板１１５のスリット開口部中心を結ぶ第３光軸１２７の一例を示す図である。マクロ撮影時の発光モジュール１２３の照射光は、第３光軸１２７を中心とし、射光窓１２３ａからスリット１２８の開口部分を通過する。ちょうど被写体１の中心に照射光が照射するような位置に、遮光板１１５のスリット１２８が設けられている。この際、スリット１２８の形状を、例えば四角形にして照射エリアを画像表示エリアに照射する開口サイズにすることにより、被写体１上に印刷された２次元バーコードシンボルに照射光を位置合わせするようにカメラモジュールを移動すると、取り込んだバーコード画像が画面からはみ出さず、コード認識のための有効撮像データを入力できる状態で画像データを取り込むことができる。また、画像の位置合わせが容易で、かつ、位置ずれしにくいために読み取り精度を向上させることができる。また、スリット１２８の形状を更に小さくすると、カメラモジュールの中心にビームを照射することになり、撮影の位置合わせとしても有効である。
【００４５】
本発明によると、携帯型電子機器に発光モジュールを搭載することにより、マクロ撮影モードでコード化シンボル等を撮影する際に、暗がりや、被写体が携帯型電子機器の影になり該被写体に明暗が生じても、適切な露出で画像を得ることができる。また、マクロ撮影モードの際に、照射光により適切な露出にて撮像できるので、明るく綺麗な画像を得ることができる。また、発光モジュールからの照射光が撮像対象を指し示すために、被写体とカメラの相対位置を一目でき、素早く画像アングルを決めることができる。
【００４６】
【発明の効果】
本発明によると、焦点調整可能な撮像手段を携帯型電子機器に搭載することによりマクロ撮影を可能とし、かつ、マクロ撮影を簡単な操作で行うことができる。また、この携帯型電子機器を用いることにより、被写体に小さく印刷されたコード化情報などの読み取り精度が要求される撮像対象を簡単かつ正確に取り込むことができる。
【図面の簡単な説明】
【図１】本発明の実施の一形態である携帯無線電話機の構成例を示すブロック図である。
【図２】本発明が適用された携帯無線電話機の外観の一例を示す図である。
【図３】携帯無線電話機に設けられたカメラモジュール付近の構成例を示す図である。
【図４】第２筐体部の操作レバー、カメラモジュール、発光モジュール付近の一例を示した断面図である。
【図５】被写体を携帯無線電話機のマクロ撮影モードで撮影する様子の一例を示す図である。
【図６】被写体を携帯無線電話機の発光モジュールで照射しながらマクロ撮影モードで撮影する様子の一例を示す図である。
【図７】カメラモジュールの第１光軸と入射光、通常撮影時における発光モジュールの照射光の第２光軸、マクロ撮影時における発光モジュールと遮光板のスリット開口部中心を結ぶ第３光軸の一例を示す図である。
【符号の説明】
１…撮像対象（被写体）、２…コード化シンボル、３…照射エリア、４…有効撮像エリア、５…画像表示エリア、１０…携帯無線電話機、１１…第１筐体部、１２…第２筐体部、１３…照射孔、１４…レンズ孔、１５…焦点調整手段（操作レバー）、１６…ヒンジ機構、１７…マイクロホン、１８…スピーカ、１９…表示部、１９ａ…撮像表示エリア、１９ｂ…撮像イメージ、２０…キー操作部、２０ａ…ストロボ発光ＯＮキー、２０ｂ…ストロボ発光量選択キー、２０ｃ…シャッターキー、２０ｄ…ストロボＯＮ／ＯＦＦ制御キー、１０１…撮像部、１０２…増幅部、１０３…Ａ／Ｄ変換部、１０４…信号処理部、１０５…記憶部、１０５ａ…第１記憶部、１０５ｂ…第２記憶部、１０６…キー操作部、１０７…アンテナ、１０８…無線部、１０９…通信制御部、１１０…制御部、１１１…表示制御部、１１２…表示部、１１３…発光制御部、１１４…発光部、１１５…遮光板、１２１…カメラモジュール、１２１ａ…調整レバー、１２１ｂ…レンズ鏡枠、１２１ｃ…固定鏡胴、１２１ｄ…撮像素子、１２１ｅ…撮像レンズ、１２１ｆ，１２１ｇ…ネジ部、１２２…回路基板、１２３…発光モジュール、１２３ａ…射光窓、１２３ｂ…発光素子、１２３ｃ…モジュール筐体、１２４…スライド部材、１２５…第１光軸、１２６…第２光軸、１２７…第３光軸、１２８…スリット、１２９…軸。
【図１】
2004064460.tif 000003
【図２】
2004064460.tif 000004
【図３】
2004064460.tif 000005
【図４】
2004064460.tif 000006
【図５】
2004064460.tif 000007
【図６】
2004064460.tif 000008
【図７】
2004064460.tif 000009